(57)【特許請求の範囲】
【請求項１】
電子メールに基づいて取得されるデータを保存するかどうかを判定するための保存判定条件を設定するデータ保存条件設定部と、
前記保存判定条件を満たす場合に、前記電子メールに基づいて取得されるデータを記憶するデータ記憶処理部と
を有し、
前記データ保存条件設定部には、前記電子メールに、ユーザ端末のユーザに対するメッセージが登録されたことを表す情報が含まれる場合に、該電子メールに基づいて取得されるデータを保存する保存判定条件が設定され、
前記データ記憶処理部は、前記保存判定条件を満たす場合に、前記電子メールに含まれる情報に基づいて、所定のサーバからデータを取得し、該電子メールを処理する際に利用されるアプリケーション以外のアプリケーションにより参照可能な参照データ領域に、該データを格納する、ユーザ端末。
【請求項２】
請求項１に記載のユーザ端末において、
前記参照データ領域に格納されたデータを再生する再生条件を設定する再生条件設定部と、
前記再生条件に従って、前記参照データ領域に格納されたデータを再生するように制御する再生制御部と
を有する、ユーザ端末。
【請求項３】
請求項１又は２に記載のユーザ端末において、
前記データには、テキストデータ、静止画データ、動画データ、及び音声データの少なくとも１つが含まれる、ユーザ端末。
【請求項４】
電子メールに基づいて取得されるデータを保存するかどうかを判定するための保存判定条件を設定するデータ保存条件設定ステップと、
前記保存判定条件を満たす場合に、前記電子メールに基づいて取得されるデータを記憶するデータ記憶処理ステップと
を有し、
前記データ保存条件設定ステップでは、前記電子メールに、ユーザ端末のユーザに対するメッセージが登録されたことを表す情報が含まれる場合に、該電子メールに基づいて取得されるデータを保存する保存判定条件が設定され、
前記データ記憶処理ステップでは、前記保存判定条件を満たす場合に、前記電子メールに含まれる情報に基づいて、所定のサーバからデータを取得し、該電子メールを処理する際に利用されるアプリケーション以外のアプリケーションにより参照可能な参照データ領域に、該データを格納する、ユーザ端末におけるデータ保存方法。
【発明の詳細な説明】
【技術分野】
【０００１】
本発明は、無線通信システムに関する。
【背景技術】
【０００２】
ユーザ端末や、パソコンから送信された写真を、離れた場所に設置されたデジタルフォトフレームに表示させることができるサービスが提供されている。
【０００３】
このサービスでは、ユーザ端末や、パソコンから送信された写真は、専用のサーバに送信される。専用のサーバでは、必要に応じて、写真に対してリサイズ等の画像処理が行われる。また、専用のサーバでは、必要に応じて、写真のデータ量を制限することや、写真をデジタルフォトフレームに送信すべき日時を事前に設定することが行われる。専用のサーバは、画像処理が行われた写真をデジタルフォトフレームに送信する。デジタルフォトフレームは、専用のサーバからの写真を画面に表示する。
【０００４】
移動端末に関して、データ及びデータを処理するアプリケーションを保存する保存部と、ユーザにより選択されたメニューにリンクされたアプリケーションにより、選択されたデータを処理する制御部と、選択されたデータの処理が完了したことを通知する通知部と、データのリスト及びメニュー並びにデータの処理が完了したメッセージなどを表示する表示部とを有する移動端末が知られている（例えば、特許文献１参照）。
【先行技術文献】
【特許文献】
【０００５】
【特許文献１】特開２００７−００４７９７号公報
【発明の概要】
【発明が解決しようとする課題】
【０００６】
専用のサーバからの写真を画面に表示するには、専用のデジタルフォトフレームを用意する必要がある。このため、サービスの利用手段が限定される。
【０００７】
また、災害が発生したこと等により専用のサーバがダウンした場合には、デジタルフォトフレームに写真を送信することができないため、サービスを利用できない。
【０００８】
本発明は、上記の点に鑑みてなされたものであり、発信元から送信されたデータを、容易に出力する技術を提供することを目的とする。
【課題を解決するための手段】
【０００９】
上記の課題を解決するために、本発明のユーザ端末は、
電子メールに基づいて取得されるデータを保存するかどうかを判定するための保存判定条件を設定するデータ保存条件設定部と、
前記保存判定条件を満たす場合に、前記電子メールに基づいて取得されるデータを記憶するデータ記憶処理部と
を有し、
前記データ保存条件設定部には、前記電子メールに、ユーザ端末のユーザに対するメッセージが登録されたことを表す情報が含まれる場合に、該電子メールに基づいて取得されるデータを保存する保存判定条件が設定され、
前記データ記憶処理部は、前記保存判定条件を満たす場合に、前記電子メールに含まれる情報に基づいて、所定のサーバからデータを取得し、該電子メールを処理する際に利用されるアプリケーション以外のアプリケーションにより参照可能な参照データ領域に、該データを格納する、ことにより達成される。
【００１１】
前記参照データ領域に格納されたデータを再生する再生条件を設定する再生条件設定部と、
前記再生条件に従って、前記参照データ領域に格納されたデータを再生するように制御する再生制御部と
を有する、ように構成してもよい。
【００１２】
前記データには、テキストデータ、静止画データ、動画データ、及び音声データの少なくとも１つが含まれる、ように構成してもよい。
【００１３】
また、上記ユーザ端末が実行するデータ保存方法、上記ユーザ端末が実行するプログラムとして構成することもできる。
【発明の効果】
【００１４】
開示されたユーザ端末によれば、発信元から送信されたデータを、容易に出力する技術を提供することが可能となる。
【図面の簡単な説明】
【００１５】
【図１】無線通信システムの一実施例を示す図である。
【図２】ユーザ端末の一実施例を示す図である。
【図３】ユーザ端末の一実施例を示す機能ブロック図である。
【図４】ユーザ端末におけるデータ保存処理（その１）の一実施例を示す図である。
【図５】ユーザ端末におけるデータ保存処理（その２）の一実施例を示す図である。
【図６】ユーザ端末におけるデータ保存処理（その３）の一実施例を示す図である。
【図７】ユーザ端末におけるデータ保存処理（その４）の一実施例を示す図である。
【図８】ユーザ端末におけるデータ再生処理（その１）の一実施例を示す図である。
【図９】ユーザ端末におけるデータ再生処理（その２）の一実施例を示す図である。
【図１０】ユーザ端末におけるデータ再生処理（その３）の一実施例を示す図である。
【図１１】ユーザ端末におけるデータ再生処理（その４）の一実施例を示す図である。
【図１２】ユーザ端末の動作（その１）の一実施例を示すフローチャートである。
【図１３】ユーザ端末の動作（その２）の一実施例を示すフローチャートである。
【図１４】ユーザ端末の一変形例を示す機能ブロック図である。
【図１５】ユーザ端末におけるデータ保存処理の一変形例を示す図である。
【図１６】ユーザ端末の動作の一変形例を示すフローチャートである。
【発明を実施するための形態】
【００１６】
以下、図面に基づいて、実施例を説明する。
なお、実施例を説明するための全図において、同一機能を有するものは同一符号を用い、繰り返しの説明は省略する。
【００１７】
＜実施例＞
＜無線通信システム＞
図１は、無線通信システムの一実施例を示す。
【００１８】
図１には、第１の無線通信システム（添え字「１」により表す）と、第２の無線通信システム（添え字「２」により表す）が示される。第１の無線通信システムと第２の無線通信システムとは同様のシステムであってもよい。
【００１９】
ユーザ端末１００１、１００２は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００２０】
無線通信システムは、主に無線アクセス制御を行う無線アクセスネットワーク（ＲＡＮ）と、移動管理、呼制御、サービス制御等を行うコアネットワーク（ＣＮ：  Ｃｏｒｅ  Ｎｅｔｗｏｒｋ）５００に分類される。
【００２１】
ＲＡＮには、基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）３００１（３００２）が含まれる。
【００２２】
コアネットワーク５００は、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００２３】
コアネットワーク５００には、ユーザ端末に対して各ドメインのサービスを提供するノードとして、交換機４００１（４００２）が含まれる。
【００２４】
第１の無線通信システムにより無線通信を行うユーザ端末１００１から、第２の無線通信システムにより無線通信を行うユーザ端末１００２を着信側として、電子メールが送信される。該電子メールには、本文が含まれる。該電子メールには、添付ファイルが含まれることもある。添付ファイルには、テキストデータ、静止画データ、動画データ、及び音声データの少なくとも１つが含まれる。
【００２５】
電子メールは、基地局２００１、無線ネットワーク制御装置３００１、交換機４００１、交換機４００２、無線ネットワーク制御装置３００２、基地局２００２を経由して、着信者のユーザ端末１００２に送信される。
【００２６】
＜ユーザ端末＞
本実施例に特に関連する着信側のユーザ端末１００２について説明される。発信側は、ＰＣであってもよいし、携帯端末であってもよい。発信側のユーザ端末１００１も着信側のユーザ端末１００２と同様の機能を有するようにしてもよい。つまり、発信側のユーザ端末１００１は、着信側のユーザ端末１００２と略同一であってもよい。
【００２７】
図２は、着信側のユーザ端末１００２の一実施例を示す。図２には、主にハードウェア構成が示される。
【００２８】
ユーザ端末１００２は、入力部１０２と、出力部１０４と、通信制御部１０６と、無線部１０８と、記憶部１１０と、マイクロプロセッサ（ＭＰＵ：  Ｍｉｃｒｏ−Ｐｒｏｃｅｓｓｉｎｇ  Ｕｎｉｔ）１１２とを有する。各機能ブロックは、バス１５０により接続される。
【００２９】
ＭＰＵ１１２は、入力部１０２、出力部１０４、通信制御部１０６、無線部１０８、及び記憶部１１０の制御を行う。ＭＰＵ１１２は、記憶部１１０に記憶されたプログラムに従って機能し、所定の処理を行う。
【００３０】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００２上で実行する作業を実施する機能を有するソフトウェアである。オペレーティングシステムは、ユーザ端末１００２において、ハードウェアを抽象化したインターフェースをアプリケーションソフトウェアに提供するソフトウェアである。
【００３１】
また、記憶部１１０には、添付データ保存条件１１０２が格納される。添付データ保存条件１１０２は、当該ユーザ端末１００２に受信された電子メールに含まれる添付データを保存するかどうかを判定する際に利用される条件である。
【００３２】
また、記憶部１１０には、再生用データ１１０４が格納される。再生用データは、添付データ保存条件１１０２に従って、記憶部１１０に保存すると判定された添付データである。再生用データ１１０４は、記憶部１１０の再生用データ保存領域に保存される。再生用データ保存領域に保存されるデータは、電子メールのアプリケーションに加え、電子メールのアプリケーション以外のアプリケーションにより参照できる記憶領域である。
【００３３】
入力部１０２は、例えば、キーボードやマウスにより構成され、当該ユーザ端末１００２への指示や、データの入力を行うための装置である。また、タッチパネルにより構成されてもよい。この場合、入力部１０２と出力部１０４は同一の装置で構成されてもよい。また、入力部１０２は、例えば、マイクにより構成され、ユーザにより発せられた音声を入力する。該音声には、着信者へのメッセージや、当該ユーザ端末１００２への指示が含まれてもよい。該指示には、オペレーティングシステムに対するものや、アプリケーションに対するものが含まれる。
【００３４】
出力部１０４は、例えば、ディスプレイにより構成され、当該ユーザ端末１００２による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ等が含まれる。
【００３５】
通信制御部１０６は、上りリンクの信号を送信するための制御を行う。ＣＳ網への上りリンクの信号、ＰＳ網への上りリンクの信号の両方を含む。また、通信制御部１０６は、無線部１０８により入力されるべき下りリンクの信号を受信するための制御を行う。ＣＳ網からの下りリンクの信号、ＰＳ網からの下りリンクの信号の両方を含む。
【００３６】
無線部１０８は、ＭＰＵ１１２による制御により、基地局２００２との間で、所定の無線通信方式により無線通信を行う。該無線通信方式には、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）が含まれる。また、ＬＴＥ以降の無線通信方式が含まれてもよい。例えば、通信制御部１０６により生成されるべき、上りリンクの信号を無線信号に変換して送信する。また、基地局２００２からの無線信号をベースバンド信号に変換する。
【００３７】
＜ユーザ端末の機能＞
本実施例に特に関連する着信側のユーザ端末１００２のＭＰＵ１１２により実行される機能について説明される。発信側のユーザ端末１００１のＭＰＵ１１２により実行される機能も着信側のユーザ端末１００２のＭＰＵ１１２により実行される機能と同様の機能を有するようにしてもよい。つまり、発信側のユーザ端末１００１のＭＰＵ１１２により実行される機能には、着信側のユーザ端末１００２のＭＰＵ１１２により実行される機能と略同一の機能が含まれてもよい。
【００３８】
図３は、ユーザ端末１００２を示す機能ブロック図である。図３には、主に、ユーザ端末１００２のＭＰＵ１１２により実行される機能が示される。
【００３９】
ユーザ端末１００２は、添付データ保存条件設定部１１２０２と、添付データ保存処理部１１２０４と、再生条件設定部１１２０６と、再生制御部１１２０８とを有する。
【００４０】
添付データ保存条件設定部１１２０２は、入力部１０２と、記憶部１１０と接続される。
【００４１】
添付データ保存条件設定部１１２０２は、当該ユーザ端末１００２に受信された電子メールに添付データが含まれる場合に、該添付データを保存するかどうかを判定する際に利用される条件を設定する。例えば、添付データ保存条件は、ユーザが入力部１０２を操作することにより入力される。添付データ保存条件設定部１１２０２は、添付データ保存処理部１１２０４に、添付データ保存条件を入力する。
【００４２】
＜添付データ保存条件（その１）＞
添付データ保存条件設定部１１２０２は、当該ユーザ端末１００２に内蔵されている電話帳に含まれるユーザのうち、特定のユーザからの電子メールに含まれる添付データを保存するように設定する。該特定のユーザは、ユーザ端末１００２のユーザにより設定されてもよい。
【００４３】
＜添付データ保存条件（その２）＞
ユーザ端末１００２に内蔵されている電話帳に含まれるユーザから、何らかの条件により特定のユーザが関連付けられる。関連づけられたユーザによりグループが構成される。１つのグループが構成されてもよいし、複数のグループが構成されてもよい。各グループに、それぞれ異なる識別子が対応付けられる。具体的には、グループは、グループ名により指定されてもよい。また、グループは、メモリー番号により指定されてもよい。グループは、電話番号により指定されてもよい。
【００４４】
添付データ保存条件設定部１１２０２は、グループ名、メモリー番号、電話番号等の識別子により指定された特定のユーザからの電子メールに含まれる添付データを保存するように設定する。該グループ名、メモリー番号、電話番号等の識別子は、ユーザ端末１００２のユーザにより設定されてもよい。
【００４５】
＜添付データ保存条件（その３）＞
添付データ保存条件設定部１１２０２は、電子メールに含まれる添付データに、所定の種類のデータが含まれる場合、該添付データを保存するように設定する。
【００４６】
添付データ保存条件設定部１１２０２は、電子メールに含まれる添付データに、所定の形式のデータが含まれる場合、該添付データを保存するように設定してもよい。
【００４７】
該データの種類や形式は、ユーザ端末１００２のユーザにより設定されてもよい。
【００４８】
＜添付データ保存条件（その４）＞
添付データ保存条件設定部１１２０２は、所定の時間帯に、当該ユーザ端末１００２に受信された電子メールに含まれる添付データを保存するように設定する。該所定の時間帯は、ユーザ端末１００２のユーザにより設定されてもよい。
【００４９】
添付データ保存処理部１１２０４は、出力部１０４と、通信制御部１０６と、記憶部１１０と接続される。添付データ保存処理部１１２０４には、通信制御部１０６から、当該ユーザ端末１００２により受信された電子メールが入力される。また。添付データ保存処理部１１２０４には、添付データ保存条件設定部１１２０２から添付データ保存条件が入力される。添付データ保存処理部１１２０４は、添付データ保存条件設定部１１２０２からの添付データ保存条件に従って、通信制御部１０６からの電子メールに含まれる添付データを保存するかどうかを判定する。添付データ保存処理部１１２０４は、添付データを保存すると判定した場合、記憶部１１０の再生用データの保存領域に、該添付データを格納する。また、添付データ保存処理部１１２０４は、添付データを保存すると判定した場合、ユーザによる設定に従って、出力部１０４に、該添付データを格納することを表す情報を出力する。
【００５０】
＜添付データ判定処理（その１）＞
図４は、添付データ保存条件の設定例と、添付データが格納されたことを表す情報の通知例（その１）を示す。
【００５１】
添付データ保存条件設定部１１２０２により、当該ユーザ端末１００２に内蔵されている電話帳に含まれるユーザのうち、特定のユーザからの電子メールに含まれる添付データを保存する条件が設定される。
【００５２】
図４に示される例では、ユーザ端末１００２のディスプレイには、電話帳に含まれるユーザとともに、添付データを保存するかどうかを指定するためのチェックボックスが表示される。ユーザは、チェックボックスをチェックすることにより、再生用保存データ格納領域に保存すべき添付データを含む電子メールの発信元を指定することができる。具体的には、添付データ保存条件設定部１１２０２は、チェックボックスがチェックされたユーザからの電子メールに含まれる添付データを保存するように添付データ保存条件を設定する。図４に示される例では、電話帳には、「○○○  △△」と、「△△△  ○○」とが含まれ、発信元が「○○○  △△」である電子メールに含まれる添付データを保存する設定がされる。
【００５３】
ユーザ端末１００２に電子メールが受信される。該電子メールに添付データが含まれる場合、添付データ保存処理部１１２０４は、添付データ保存条件設定部１１２０２により設定された添付データ保存条件に、該電子メールの発信元が該当するかどうかを判定する。添付データ保存処理部１１２０４は、当該ユーザ端末１００２に内蔵されている電話帳に含まれるユーザのうち、特定のユーザに、電子メールの発信元が該当する場合、記憶部１１０の再生用データ保存領域に、該電子メールに含まれる添付データを格納する。
【００５４】
また、添付データ保存処理部１１２０４は、当該ユーザ端末１００２に内蔵されている電話帳に含まれるユーザのうち、特定のユーザに、電子メールの発信元が該当する場合、ユーザによる設定に応じて、出力部１０４に、該電子メールに含まれる添付データを格納することを表す情報を出力する。
【００５５】
図４に示される例では、ユーザ端末１００２は、受信された電子メールに添付データが含まれる場合、添付データ保存処理部１１２０４は、添付データ保存条件設定部１１２０２に設定された添付データ保存条件に、該電子メールの発信元が該当するかどうかを判定する。「○○○  △△」からの電子メールに含まれる添付データを保存するように添付データ保存条件が設定されているため、添付データ保存条件に、電子メールの発信元が該当すると判定される。この場合、記憶部１１０の再生用データ保存領域に、該電子メールに含まれる添付データが格納される。
【００５６】
また、添付データ保存処理部１１２０４は、ユーザによる設定に従って、出力部１０４に、該電子メールに含まれる添付データを格納することを表す情報を出力する。例えば、出力部１０４から、「○○○  △△さんからの電子メールに含まれる添付データを再生用データ保存領域に保存しました」と出力される。
【００５７】
＜添付データ判定処理（その２）＞
図５は、添付データ保存条件の設定例と、添付データが格納されたことを表す情報の通知例（その２）を示す。
【００５８】
添付データ保存条件設定部１１２０２により、グループ名、メモリー番号、電話番号等の識別子により指定されたグループに含まれる特定のユーザが発信元となる電子メールに含まれる添付データを保存する条件が設定される。
【００５９】
図５に示される例では、ユーザ端末１００２のディスプレイには、添付データを保存するかどうかを指定するために、グループ名を指定するための領域、メモリー番号を指定するための領域、及び電話番号を指定するための領域が表示される。ユーザは、グループ名、メモリー番号、及び電話番号の少なくとも１つを入力することにより、保存すべき添付データを含む電子メールの送信元を指定することができる。具体的には、添付データ保存条件設定部１１２０２は、グループ名、メモリー番号、及び電話番号から入力されたものに該当するグループに含まれる特定のユーザが発信元となる電子メールに含まれる添付データを保存するように添付データ保存条件を設定する。図５に示される例では、添付データを保存する条件として、グループ名「Ａ家族」が指定される。
【００６０】
ユーザ端末１００２に電子メールが受信される。該電子メールに添付データが含まれる場合、添付データ保存処理部１１２０４は、添付データ保存条件設定部１１２０２により設定された添付データ保存条件に、該電子メールの発信元が該当するかどうかを判定する。添付データ保存処理部１１２０４は、グループ名、メモリー番号、及び電話番号から、ユーザにより指定されたものに該当するグループに含まれる特定のユーザに、電子メールの発信元が該当する場合、記憶部１１０の再生用データ保存領域に、該電子メールに含まれる添付データを格納する。
【００６１】
また、添付データ保存処理部１１２０４は、グループ名、メモリー番号、及び電話番号から、ユーザにより指定されたものに該当するグループに含まれる特定のユーザに、電子メールの発信元が該当する場合、出力部１０４に、該電子メールに含まれる添付データを格納することを表す情報を出力する。
【００６２】
図５に示される例では、ユーザ端末１００２は、「Ａ家族」のグループに含まれる特定のユーザからの電子メールを受信する。電子メールが受信されると、該電子メールに添付データが含まれる場合、添付データ保存処理部１１２０４は、添付データ保存条件設定部１１２０２により設定された添付データ保存条件に、該電子メールの発信元が該当するかどうかを判定する。ユーザ端末１００２には、「Ａ家族」に含まれるメンバーからの電子メールに含まれる添付データを保存する添付データ保存条件が設定されているため、添付データ保存条件に、電子メールの発信元が該当すると判定される。この場合、記憶部１１０の再生用データ保存領域に、該電子メールに含まれる添付データが格納される。
【００６３】
また、添付データ保存処理部１１２０４は、ユーザによる設定に従って、出力部１０４に、該電子メールに含まれる添付データを格納したことを表す情報を出力する。具体的には、出力部１０４から、「グループＡのＸさんからの電子メールに含まれる添付データを再生用データ保存領域に保存しました」と出力される。
【００６４】
＜添付データ判定処理（その３）＞
図６は、添付データ保存条件の設定例と、添付データが格納されたことを表す情報の通知例（その３）を示す。
【００６５】
添付データ保存条件設定部１１２０２により、電子メールに含まれる添付データを保存する条件として、特定のデータ種類やデータ形式が設定される。
【００６６】
図６に示される例では、ユーザ端末１００２のディスプレイには、添付データを保存するかどうかを指定するために、データ種類やデータ形式を表す情報とともに、該データ種類やデータ形式を指定するためのチェックボックスが表示される。ユーザは、チェックボックスをチェックすることにより、保存すべき添付データのデータ種類やデータ形式を指定することができる。具体的には、添付データ保存条件設定部１１２０２は、チェックボックスがチェックされたデータ種類やデータ形式のデータを含む添付データを保存するように添付データ保存条件を設定する。
【００６７】
図６に示される例では、データ種類やデータ形式として、ＪＰＥＧ（Ｊｏｉｎｔ  Ｐｈｏｔｏｇｒａｐｈｉｃ  Ｅｘｐｅｒｔｓ  Ｇｒｏｕｐ）、ＧＩＦ（Ｇｒａｐｈｉｃｓ  Ｉｎｔｅｒｃｈａｎｇｅ  Ｆｏｒｍａｔ）、ＰＮＧ（Ｐｏｒｔａｂｌｅ  Ｎｅｔｗｏｒｋ  Ｇｒａｐｈｉｃｓ）、ｍｐ３（ＭＰＥＧ（Ｍｏｖｉｎｇ  Ｐｉｃｔｕｒｅ  Ｅｘｐｅｒｔｓ  Ｇｒｏｕｐ）  Ａｕｄｉｏ  Ｌａｙｅｒ−３）、ｔｅｘｔが含まれる。ＪＰＥＧ、ＧＩＦ、ＰＮＧ、ｍｐ３、ｔｅｘｔ以外のデータ種類やデータ形式が含まれてもよい。具体的には、添付データ保存条件設定部１１２０２は、ＪＰＥＧ、ＧＩＦ、ＰＮＧ、ｍｐ３、及びｔｅｘｔのチェックボックスのうち、チェックされたものに該当するデータ種類やデータ形式のデータを含む添付データを保存するように添付データ保存条件を設定する。図６に示される例では、ＪＰＥＧ、ＧＩＦ、及びＰＮＧのチェックボックスがチェックされているため、添付データに、ＪＰＥＧ、ＧＩＦ、及びＰＮＧの少なくとも１つのデータ種類やデータ形式のデータが含まれる場合に、該添付データを保存する設定がされる。
【００６８】
添付データが含まれる電子メールが受信されると、添付データ保存処理部１１２０４は、添付データ保存条件設定部１１２０２により設定された添付データ保存条件に、該電子メールに含まれる添付データのデータ種類やデータ形式が該当するかどうかを判定する。添付データ保存処理部１１２０４は、ＪＰＥＧ、ＧＩＦ、ＰＮＧ、ｍｐ３、及びｔｅｘｔから指定されたデータ種類やデータ形式に、添付データのデータ種類やデータ形式が含まれる場合、記憶部１１０の再生用データ保存領域に、該添付データを格納する。
【００６９】
また、添付データ保存処理部１１２０４は、ＪＰＥＧ、ＧＩＦ、ＰＮＧ、ｍｐ３、及びｔｅｘｔから指定されたデータ種類やデータ形式のデータを、添付データが含む場合、出力部１０４に、該電子メールに含まれる添付データを格納したことを表す情報を出力する。
【００７０】
図６に示される例では、添付データを含む電子メールが受信されると、添付データ保存処理部１１２０４は、添付データ保存条件設定部１１２０２により設定された添付データ保存条件に、該電子メールに含まれる添付データのデータ種類やデータ形式が該当するかどうかを判定する。ユーザ端末１００２には、ＪＰＥＧ、ＧＩＦ、ＰＮＧのデータ種類やデータ形式のデータが含まれる添付データが、電子メールに添付されている場合、該添付データを保存する添付データ保存条件が設定されているため、添付データ保存条件に、電子メールの添付データのデータ形式が該当すると判定される。この場合、記憶部１１０の再生用データ保存領域に、該電子メールに添付されている添付データが格納される。
【００７１】
また、添付データ保存処理部１１２０４は、ユーザによる設定に従って、出力部１０４に、該電子メールに添付されている添付データを格納したことを表す情報を出力する。具体的には、出力部１０４から、「ＪＰＥＧ形式の添付データを１件再生用データ保存領域に保存しました」と出力される。
【００７２】
＜添付データ判定処理（その４）＞
図７は、添付データ保存条件の設定例と、添付データが格納されたことを表す情報の通知例（その４）を示す。
【００７３】
添付データ保存条件設定部１１２０２により、電子メールに含まれる添付データを保存する条件として、電子メールの受信時刻の時間帯が設定される。
【００７４】
図７に示される例では、ユーザ端末１００２のディスプレイには、添付データを保存するかどうかを指定するために、電子メールの受信時刻として、「指定なし」、「ＡＭ」、「ＰＭ」、及び「時間指定（８：００〜２２：００）」とともに、添付データを保存するかどうかを指定するためのチェックボックスが表示される。ここで、「時間指定」の際に指定される「８：００〜２２：００」は一例であり、ユーザにより編集可能である。ユーザは、チェックボックスをチェックすることにより、電子メールの受信時刻の時間帯を指定することができる。具体的には、添付データ保存条件設定部１１２０２は、チェックボックスがチェックされた時間帯に受信された電子メールに含まれる添付データを保存するように添付データ保存条件を設定する。図７に示される例では、受信時間「ＡＭ」、「ＰＭ」に対応するチェックボックスがチェックされているため、「ＡＭ」、「ＰＭ」に受信された電子メールに含まれる添付データを保存する設定がされる。
【００７５】
電子メールが受信される。該電子メールに添付データが含まれる場合、添付データ保存処理部１１２０４は、添付データ保存条件設定部１１２０２により設定された添付データ保存条件に、該電子メールの受信時刻が該当するかどうかを判定する。添付データ保存処理部１１２０４は、添付データ保存条件に、電子メールの受信時刻が該当する場合、記憶部１１０の再生用データ保存領域に、該電子メールに含まれる添付データを格納する。また、添付データ保存処理部１１２０４は、添付データ保存条件に、電子メールの受信時刻が該当する場合、ユーザによる設定に従って、出力部１０４に、該電子メールに含まれる添付データを格納することを表す情報を出力する。
【００７６】
図７に示される例では、ユーザ端末１００２は、設定された時間帯に、電子メールを受信する。電子メールが受信されると、添付データ保存処理部１１２０４は、添付データ保存条件設定部１１２０２により設定された添付データ保存条件に、該電子メールの受信時刻が該当するかどうかを判定する。ユーザ端末１００２には、「ＡＭ」、「ＰＭ」の時間帯に受信された電子メールに含まれる添付データを保存する添付データ保存条件が設定されているため、添付データ保存条件に、電子メールの受信時刻が該当すると判定される。この場合、記憶部１１０の再生用データ保存領域に、該電子メールに添付されている添付データが格納される。
【００７７】
また、添付データ保存処理部１１２０４は、ユーザによる設定に従って、出力部１０４に、該電子メールに含まれる添付データを格納することを表す情報を出力する。具体的には、出力部１０４から、「設定された時間帯に受信された電子メールに含まれる添付データを再生用データ保存領域に保存しました」と出力される。
【００７８】
再生条件設定部１１２０６は、入力部１０２と、記憶部１１０と接続される。再生条件設定部１１２０６は、記憶部１１０の再生用データ保存領域に格納された添付データを再生するかどうかを判定する際に利用される再生条件を設定する。例えば、再生条件は、ユーザが入力部１０２を操作することにより入力されてもよい。再生条件設定部１１２０６は、記憶部１１０に、再生条件を表す情報を格納する。
【００７９】
＜再生条件（その１）＞
再生条件設定部１１２０６は、データを再生する時間帯を設定する。該データを再生する時間帯は、ユーザ端末１００２のユーザにより設定されてもよい。
【００８０】
図８は、再生条件設定部１１２０６によりデータを再生する時間帯が設定される際に表示される再生条件設定画面の一実施例を示す。図８に示される例では、再生条件設定画面には、再生条件として設定可能な時間帯の例として、「常時」、「ＡＭ」、「ＰＭ」、及び「時間指定（８：００〜２２：００）」が表示され、これらを選択するためのチェックボックスが表示される。図８に示される例では、「時間指定（８：００〜２２：００）」に対応するチェックボックスがチェックされている。従って、再生条件として、再生する時間帯「時間指定（８：００〜２２：００）」が設定される。ここで、「時間指定」の際に指定される「８：００〜２２：００」は一例であり、ユーザにより編集可能である。
【００８１】
＜再生条件（その２）＞
再生条件設定部１１２０６は、データの再生頻度を設定する。該データの再生頻度は、ユーザ端末１００２のユーザにより設定されてもよい。
【００８２】
図９は、再生条件設定部１１２０６によりデータの再生頻度が設定される際に表示される再生条件設定画面の一実施例を示す。図９に示される例では、再生条件設定画面には、再生条件として設定可能なデータの再生頻度の例として、「繰り返し（∞）」、及び「回数指定（２０回）」が表示され、これらを選択するためのチェックボックスが表示される。図９に示される例では、「回数指定（２０回）」に対応するチェックボックスがチェックされている。ここで、「回数指定」の際に指定される「２０回」は一例であり、ユーザにより編集可能である。
【００８３】
＜再生条件（その３）＞
再生条件設定部１１２０６は、データの１回当たりの再生時間を設定する。該データの１回当たりの再生時間は、ユーザ端末１００２のユーザにより設定されてもよい。
【００８４】
図１０は、再生条件設定部１１２０６によりデータの１回当たりの再生時間が設定される際に表示される再生条件設定画面の一実施例を示す。図１０に示される例では、再生条件設定画面には、再生条件として設定可能なデータの１回当たりの再生時間の例として、「指定なし（ｄｅｆａｕｌｔ：ｘ秒）」、及び「秒数指定（５秒）」が表示され、これらを選択するためのチェックボックスが表示される。図１０に示される例では、「指定なし」に対応するチェックボックスがチェックされている。ここで、「指定なし」の際に指定される「ｘ秒」、「秒数指定」の際に指定される「５秒」は一例であり、ユーザにより編集可能である。
【００８５】
＜再生条件（その４）＞
再生条件設定部１１２０６は、優先順位（ｐｒｉｏｒｉｔｙ）に従って、データの再生条件を設定する。該データの再生条件は、ユーザ端末１００２のユーザにより設定されてもよい。
【００８６】
図１１は、再生条件設定部１１２０６により、優先順位に従って、データの再生条件が設定される際に表示される再生条件設定画面の一実施例を示す。図１１に示される例では、再生条件設定画面には、優先順位を指定しないことを表す「指定なし」、優先順位を指定することを表す「Ｐｒｉｏｒｉｔｙ指定」が表示され、これらを選択するためのチェックボックスが表示される。図１１に示される例では、「Ｐｒｉｏｒｉｔｙ指定」に対応するチェックボックスがチェックされている。
【００８７】
「Ｐｒｉｏｒｉｔｙ指定」に対応するチェックボックスがチェックされると、優先順位に対応して、データの再生条件を設定するための再生条件設定画面に移行する。
【００８８】
優先順位に対応して、データの再生条件を設定するための再生条件設定画面には、優先順位毎に、再生条件を設定することができる。図１１に示される例では、優先順位毎に、再生条件として、メンバーを指定する「メンバー指定」、電子メールの受信時刻の時間帯等の条件を指定する「条件指定」、データ種類やデータ形式を指定する「データ形式指定」から指定できる。図１１に示される例では、優先順位が「Ｐｒｉｏｒｉｔｙ  Ａ」である再生条件として「メンバー指定」がチェックされている。
【００８９】
再生制御部１１２０８は、再生条件設定部１１２０６と、出力部１０４と、記憶部１１０と接続される。再生制御部１１２０８は、再生条件設定部１１２０６により設定された再生条件に従って、記憶部１１０の再生用データ保存領域に格納された添付データを再生する制御を行う。具体的には、再生制御部１１２０８には、当該ユーザ端末１００２にインストールされたアプリケーションのうち、起動されたアプリケーションを表す情報が入力される。再生制御部１１２０８は、再生条件設定部１１２０６により設定された優先順位に従ってカスタマイズされた再生条件に従って、起動されたアプリケーションにより記憶部１１０に格納された添付データを再生する制御を行う。例えば、「Ｐｒｉｏｒｉｔｙ  Ａ」は、「メンバ指定」により指定されたメンバに含まれるメンバからの電子メールに含まれる添付データを再生する制御を行う。
【００９０】
＜ユーザ端末の動作（その１）＞
図１２は、ユーザ端末１００２の動作（その１）の一実施例を示す。
【００９１】
ユーザ端末１００２は、電子メールを受信する（ステップＳ１２０２）。つまり、ユーザ端末１００１からの電子メールは、無線部１０８により受信される。
【００９２】
ユーザ端末１００２は、ステップＳ１２０２により受信された電子メールに基づいて、添付データ保存条件に該当するかどうかを判定する（ステップＳ１２０２）。つまり、無線部１０８により受信された電子メールは、通信制御部１０６を介して、添付データ保存処理部１１２０４に入力される。添付データ保存処理部１１２０４は、上述した＜添付データ判定処理（その１）＞−＜添付データ判定処理（その４）＞のいずれかに従って、添付データ保存条件に該当するかどうかを判定する。
【００９３】
＜添付データ判定処理（その１）＞−＜添付データ判定処理（その４）＞を組み合わせて、添付データ保存条件に該当するかどうかを判定するようにしてもよい。例えば、＜添付データ判定処理（その１）＞−＜添付データ判定処理（その４）＞のうち、予め選択された添付データ判定条件の全てに該当するかどうかが判定されてもよいし、予め選択された添付データ判定条件のいずれか１つに該当するかどうかが判定されてもよい。
【００９４】
添付データ保存条件に該当する場合（ステップＳ１２０４：ＹＥＳ）、再生用データ保存領域に、添付データを保存する（ステップＳ１２０６）。つまり、添付データ保存処理部１１２０４は、添付データ保存条件に該当すると判定した場合、記憶部１１０の再生用データ保存領域に、添付データを格納する。
【００９５】
添付データ保存条件に該当しない場合（ステップＳ１２０４：ＮＯ）、通常の電子メールの処理を行う（ステップＳ１２０８）。つまり、添付データ保存処理部１１２０４は、添付データ保存条件に該当しないと判定した場合、記憶部１１０に、添付データを格納する。記憶部１１０の電子メールのアプリケーションで参照可能な領域に、添付データを格納するようにしてもよい。この場合、電子メールのアプリケーションで、該添付データは参照できる。
【００９６】
＜ユーザ端末の動作（その２）＞
図１３は、ユーザ端末１００２の動作（その２）の一実施例を示す。
【００９７】
ユーザ端末１００２は、データ再生条件に合致する添付データがあるかどうかを判定する（ステップＳ１３０２）。つまり、再生制御部１１２０８は、再生条件設定部１１２０６により設定された再生条件に合致するデータがあるかどうかを判定する。
再生制御部１１２０８は、上述した＜再生条件（その１）＞−＜再生条件（その４）＞のいずれかに従って、再生条件に合致するかどうかを判定する。
【００９８】
＜再生条件（その１）＞−＜再生条件（その４）＞を組み合わせて、再生条件に合致するかどうかを判定するようにしてもよい。例えば、＜再生条件（その１）＞−＜再生条件（その４）＞のうち、予め選択された再生条件の全てに合致するかどうかが判定されてもよいし、予め選択された再生条件のいずれか１つに該当するかどうかが判定されてもよい。
【００９９】
再生条件に合致するデータがあると判定された場合（ステップＳ１３０２：ＹＥＳ）、ユーザ端末１００２は、記憶部１１０の再生用データ保存領域に保存されている該添付データを再生する（ステップＳ１３０４）。つまり、再生制御部１１２０８は、再生条件に合致するデータがあると判定した場合、起動されたアプリケーションにより記憶部１１０の再生用データ保存領域に保存されている該添付データを再生する。
【０１００】
再生条件に合致するデータがあると判定されない場合（ステップＳ１３０２：ＮＯ）、ステップＳ１３０２に戻る。再生条件に合致するデータがあると判定されるまで、継続される。
【０１０１】
本実施例によれば、電子メールを意識させず、電子メールに基づいて取得されるデータを出力することができる。電子メールに基づいてデータを取得する際に、電子メールのアプリケーションの起動は不要である。具体的には、電子メールに基づいて取得されるデータを表示することができる。
【０１０２】
また、サービスの提供を受けるユーザ端末を限定しないようにすることにより、容易にサービスを利用することができるため、利用者を増加させることができる。
【０１０３】
また、専用のサーバを不要にできるため、災害等が発生して、該専用のサーバがダウンするような事態となっても、サービスが中断したり、遅延が生じたりすることはない。
【０１０４】
＜変形例＞
＜無線通信システム＞
無線通信システムの一変形例は、図１を参照して説明した無線通信システムと略同一である。
【０１０５】
＜ユーザ端末＞
ユーザ端末１００２の一変形例は、図２を参照して説明したユーザ端末１００２と略同一である。
【０１０６】
＜ユーザ端末の機能＞
図１４は、ユーザ端末１００２を示す機能ブロック図である。図１４には、主に、本変形例に関連するユーザ端末１００２のＭＰＵ１１２により実行される機能が示される。ユーザ端末１００１のＭＰＵ１１２により実行される機能についても、図１４と略同一であってもよい。
【０１０７】
ユーザ端末１００２の一変形例は、ユーザ端末１００１の一実施例と、添付データ保存条件設定部１１２０２の代わりに登録メッセージ保存条件設定部１１２１０を有し、添付データ保存処理部１１２０４の代わりに登録メッセージ保存処理部１１２１２を有する点で異なる。
【０１０８】
登録メッセージ保存条件設定部１１２１０は、登録メッセージ保存条件として、所定の伝言板に登録されたメッセージを保存するかどうかを設定する。該登録メッセージ保存条件は、ユーザが入力部１０２を操作することにより設定されてもよい。該所定の伝言板には、災害用伝言板等が含まれる。登録メッセージ保存条件設定部１１２１０は、記憶部１１０に、登録メッセージ保存条件として、ユーザにより設定された所定の伝言板に登録されたメッセージを保存するかどうかを表す情報を格納する。また、登録メッセージ保存条件設定部１１２１０は、所定の伝言板に登録されたメッセージを保存するかどうかを表す情報が設定された場合、登録メッセージ保存処理部１１２１２に、所定の伝言板に登録されたメッセージを保存するかどうかを表す情報を入力する。ここでは、登録メッセージ保存条件として、所定の伝言板に登録されたメッセージを保存することが設定された場合について説明する。
【０１０９】
登録メッセージ保存処理部１１２１２は、登録メッセージ保存条件設定部１１２１０により入力されるべき所定の伝言板に登録されたメッセージを保存することを表す条件に従って、所定の伝言板に登録されたメッセージを保存する。登録メッセージ保存処理部１１２１２は、通信制御部１０６からの電子メールに、所定の伝言板にメッセージを登録したことを表す情報（以下、「メッセージ登録情報」という）が含まれるかどうかを判定する。具体的には、メッセージ登録情報には、所定の伝言板のＵＲＬ（Ｕｎｉｆｏｒｍ  Ｒｅｓｏｕｒｃｅ  Ｌｏｃａｔｏｒ）が含まれる。登録メッセージ保存処理部１１２１２は、通信制御部１０６からの電子メールにメッセージ登録情報が含まれる場合、該メッセージ登録情報に従って、所定の伝言板にアクセスする。登録メッセージ保存処理部１１２１２は、所定の伝言板に登録されたメッセージから、ユーザ端末１００１のユーザにより登録されたメッセージを取得する。登録メッセージ保存処理部１１２１２は、記憶部１１０の再生用データ保存領域に、該メッセージを保存する。
【０１１０】
図１５は、登録メッセージ保存条件の設定例と、登録メッセージが格納されたことを表す情報の通知例を示す。
【０１１１】
登録メッセージ保存条件設定部１１２１０により、災害用伝言板に登録されたメッセージを保存かどうかが設定される。
【０１１２】
図１５に示される例では、ユーザ端末１００２のディスプレイには、災害伝言板に登録されたメッセージを保存するかどうかを指定するために、「災害用伝言板に登録されたメッセージを再生用データ保存領域に保存する」、及び「保存しない」とともに、メッセージを保存するかどうかを指定するためのチェックボックスが表示される。ユーザは、チェックボックスをチェックすることにより、災害伝言板に登録されたメッセージを保存するかどうかを指定することができる。具体的には、登録メッセージ保存条件設定部１１２１０は、「災害用伝言板に登録されたメッセージを再生用データ保存領域に保存する」ことに対応するチェックボックスがチェックされた場合、災害用伝言板に登録されたメッセージを保存するように設定する。図１５に示される例では、「災害用伝言板に登録されたメッセージを再生用データ保存領域に保存する」に対応するチェックボックスにチェックがされているため、災害用伝言板に登録されたメッセージを保存する設定がされる。
【０１１３】
電子メールが受信されると、登録メッセージ保存処理部１１２１２は、登録メッセージ保存条件設定部１１２１０により設定された登録データ保存条件に従って、該電子メールに、メッセージ登録情報が含まれるかどうかを判定する。該メッセージ登録情報が含まれる場合、登録メッセージ保存処理部１１２１２は、該メッセージ登録情報に従って、災害伝言板にアクセスする。登録メッセージ保存処理部１１２１２は、災害伝言板に登録されたメッセージから、ユーザ端末１００１のユーザにより登録されたメッセージを取得する。登録メッセージ保存処理部１１２１２は、記憶部１１０の再生用メッセージ保存領域に、該メッセージを保存する。
【０１１４】
また、登録メッセージ保存処理部１１２１２は、ユーザによる設定に従って、出力部１０４に、該災害伝言板に登録されたメッセージを格納することを表す情報を出力する。具体的には、出力部１０４から、「災害用伝言板に登録されたメッセージを、再生用データ保存領域に保存しました」と出力される。
【０１１５】
＜ユーザ端末の動作）＞
図１６は、ユーザ端末１００２の動作の一変形例を示す。
【０１１６】
図１６に示される例では、災害伝言板に登録されたメッセージを保存するように設定されている。
【０１１７】
ユーザ端末１００２は、電子メールを受信する（ステップＳ１６０２）。つまり、ユーザ端末１００１からの電子メールは、無線部１０８により受信される。
【０１１８】
ユーザ端末１００２は、ステップＳ１６０２により受信された電子メールにメッセージ登録情報が含まれるかどうかを判定する（ステップＳ１６０４）。つまり、無線部１０８により受信された電子メールは、通信制御部１０６を介して、登録メッセージ保存処理部１１２１２に入力される。登録メッセージ保存処理部１１２１２は、電子メールに、メッセージ登録情報が含まれるかどうかを判定する。
【０１１９】
電子メールに、メッセージ登録情報が含まれると判定された場合（ステップＳ１６０４：ＹＥＳ）、ユーザ端末１００２は、メッセージ登録情報を利用して、メッセージを取得する（ステップＳ１６０６）。つまり、登録メッセージ保存処理部１１２１２は、メッセージ登録情報を利用して、所定のサーバにアクセスし、メッセージを取得する。
【０１２０】
ユーザ端末１００２は、再生用データ保存領域に、メッセージを保存する（ステップＳ１６０８）。つまり、登録メッセージ保存処理部１１２１２は、記憶部１１０の再生用データ保存領域に、メッセージを格納する。
【０１２１】
電子メールに、メッセージ登録情報が含まれないと判定された場合（ステップＳ１６０４：ＮＯ）、ユーザ端末１００２は、通常の電子メールの処理を行う（ステップＳ１６１０）。つまり、登録メッセージ保存処理部１１２１２は、メッセージ登録情報が含まれないと判定した場合、電子メールを処理する。
【０１２２】
本変形例によれば、所定の伝言板にメッセージが登録された場合に、電子メールを意識せずに、該メッセージが登録されたことを通知する電子メールに基づいて、該メッセージを自動的に取得できる。該メッセージを自動的に取得する際に、電子メールのアプリケーションの起動は不要である。さらに、該メッセージを表示することができる。
【０１２３】
説明の便宜上、発明の理解を促すため具体的な数値例を用いて説明されるが、特に断りのない限り、それらの数値は単なる一例に過ぎず適切な如何なる値が使用されてよい。
【０１２４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１２５】
１００１、１００２  ユーザ端末
１０２  入力部
１０４  出力部
１０６  通信制御部
１０８  無線部
１１０  記憶部
１１０２  添付データ保存条件
１１０４  再生用データ
１１２  ＭＰＵ
１１２０２  添付データ保存条件設定部
１１２０４  添付データ保存処理部
１１２０６  再生条件設定部
１１２０８  再生制御部
１１２１０  登録メッセージ保存条件設定部
１１２１２  登録メッセージ保存処理部
【図１】
0005901928.tif 000002
【図２】
0005901928.tif 000003
【図３】
0005901928.tif 000004
【図４】
0005901928.tif 000005
【図５】
0005901928.tif 000006
【図６】
0005901928.tif 000007
【図７】
0005901928.tif 000008
【図８】
0005901928.tif 000009
【図９】
0005901928.tif 000010
【図１０】
0005901928.tif 000011
【図１１】
0005901928.tif 000012
【図１２】
0005901928.tif 000013
【図１３】
0005901928.tif 000014
【図１４】
0005901928.tif 000015
【図１５】
0005901928.tif 000016
【図１６】
0005901928.tif 000017